(57)【要約】      （修正有）【課題】バー上にヒゲゼンマイが接着するのを防止するためのデバイスを提供する。【解決手段】テンプとヒゲゼンマイ７’との協働によって形成される共振器を含む時計ムーブメントであって、共振器はバー２”と、バー２”又は地板等の他の部品との間に回動可能に設けられ、バー２”に対してヒゲゼンマイ７’の接着を防止するためのデバイス１９’を有し、バー２”は、ヒゲゼンマイ７’の面１５、１７とバー２”の面１６’、１８’とが互いに接触する場合に接触する面を制限するための、バー２”上に形成された表面減少手段２３’、２５を有する。【選択図】図５
2014228542.tif 000002
【特許請求の範囲】
【請求項１】
テンプ（５）とヒゲゼンマイ（７、７’、７”）との協働によって形成される共振器（３）を含む時計ムーブメント（１）であって、前記共振器はバー（２、２’、２”）と他の部品（４）との間に回動可能に設けられる時計ムーブメント（１）において、
前記時計ムーブメント（１）は、前記バーに対して前記ヒゲゼンマイの接着を防止するためのデバイス（１９、１９’、１９”）を有し、
前記バーは、前記ヒゲゼンマイの面（１５’、１７）と前記バーの面（１６’、１８）とが互いに接触する場合に接触する面を制限するための、前記バー（２’、２”）上に形成された表面減少手段（２３、２３’、２５、２５’）を有することを特徴とする、時計ムーブメント（１）。
【請求項２】
前記表面減少手段（２５、２５’）は、前記ヒゲゼンマイ（７’、７”）上にも形成されていることを特徴とする、請求項１に記載の時計ムーブメント（１）。
【請求項３】
前記表面減少手段（２３、２５）は、互いに対向する前記ヒゲゼンマイの前記面及び前記バーの前記面に対して少なくとも１つの凹部（１５、１６）を含むことを特徴とする、請求項１又は２に記載の時計ムーブメント（１）。
【請求項４】
前記少なくとも１つの凹部（１５、１６）は、一連の溝で形成していることを特徴とする、請求項３に記載の時計ムーブメント（１）。
【請求項５】
前記一連の溝のうちの少なくとも２つは交差していることを特徴とする、請求項４に記載の時計ムーブメント（１）。
【請求項６】
前記表面減少手段（２３’、２５’）は、互いに対向する前記ヒゲゼンマイの前記面及び前記バーの前記面に対して少なくとも１つの隆起部（１７’、１８’）を有することを特徴とする、請求項１又は２に記載の時計ムーブメント（１）。
【請求項７】
前記少なくとも１つの隆起部（１７’、１８’）は、一連のリブで形成していることを特徴とする、請求項６に記載の時計ムーブメント（１）。
【請求項８】
前記一連のリブのうち少なくとも２つは交差していることを特徴とする、請求項７に記載の時計ムーブメント（１）。
【請求項９】
請求項１〜８のいずれか１項に記載の時計ムーブメント（１）を含むことを特徴とする、時計。
【発明の詳細な説明】
【技術分野】
【０００１】
本発明は、バー上にヒゲゼンマイが接着するのを防止するためのデバイスに関し、より具体的には、調速共振器の一部を形成するヒゲゼンマイに関する。
【背景技術】
【０００２】
シリコン及びシリコン化合物、石英、ダイヤモンド、ガラス、セラミック又はその他の材料等の絶縁材料は、精密機械式時計部品の製作のためにますます使用されている。図２、３に示すように、特にヒゲゼンマイ７に関して、衝撃後にコイルがバー２に接着する傾向があることが観察されており、これは発振器の等時性にとって有害である。
【０００３】
この現象は、製造中又は装用中、特に衝撃が発生した場合に、バー２及び／又はヒゲゼンマイ７が不純物又は潤滑剤で汚染されることにより、更に悪化することがある。このことは、ヒゲゼンマイが導電性である場合であっても、ヒゲゼンマイ７のコイルのうちのいくつかは、不純物又は潤滑剤のためにバーに接着してしまうことは明らかである。
【発明の概要】
【発明が解決しようとする課題】
【０００４】
本発明の目的は、バー上にヒゲゼンマイが接着するのを防止するためのデバイスを提供することによって、上述の欠点の全て又は一部を克服することである。
【課題を解決するための手段】
【０００５】
従って、本発明は、テンプとヒゲゼンマイとの協働によって形成される共振器を含む時計ムーブメントであって、上記共振器はバーと他の部品との間に枢動可能に設けられる時計ムーブメントにおいて、この時計ムーブメントは、更に上記バーに対する上記ヒゲゼンマイの接着を防止するためのデバイスを有し、上記バーは、上記ヒゲゼンマイの面と上記バーの面とが互いに接触する場合に接触する面を制限するための、バー上に形成された表面減少手段を含むことを特徴とする、時計ムーブメントに関する。
【０００６】
製造プロセスの結果として、シリコン又は石英ウェハのエッチングによって得られるヒゲゼンマイは、接着しやすい特に平滑な表面を有する。従って、本発明によると有利には、抗接着デバイスによって、互いに対向するヒゲゼンマイの面及びバーの面に、接着する可能性がある極めて大幅に制限された表面を提供し、これによって上述の問題を制限する。
【０００７】
本発明の他の有利な特徴によると：
−表面減少手段はヒゲゼンマイ上にも形成され；
−表面減少手段は、互いに対向する上記ヒゲゼンマイの面及び上記バーの面に対して少なくとも１つの凹部を有し；
−上記少なくとも１つの凹部は、一連の溝を形成し；
−上記一連の溝のうちの少なくとも２つは交差しており；
−表面減少手段は、互いに対向する上記ヒゲゼンマイの面及び上記バーの面に対して少なくとも１つの隆起部を有し；
−上記少なくとも１つの隆起部は、一連のリブを形成し；
−上記一連のリブのうちの少なくとも２つは交差している。
【０００８】
更に、本発明は、時計に関し、上述の変形例のいずれかによる時計ムーブメントを含むことを特徴とする。
【０００９】
本発明の他の特徴及び利点は、添付した図面を参照して非限定的な例として挙げる以下の詳細な説明から明らかになるであろう。
【図面の簡単な説明】
【００１０】
【図１】図１は、本発明による時計ムーブメントの展開図である。
【図２】図２は、絶縁材料で形成されたバーと対向して運動するヒゲゼンマイの静止状態における図である。
【図３】図３は、絶縁材料で形成されたバーと対向して運動するヒゲゼンマイの運動状態における図である。
【図４】図４は、本発明による抗接着デバイスの実施形態の概略断面図である。
【図５】図５は、本発明による抗接着デバイスの他の実施形態の概略断面図である。
【図６】図６は、本発明による抗接着デバイスの他の実施形態の概略断面図である。
【発明を実施するための形態】
【００１１】
図１は、時計に搭載するために設計された本発明による時計ムーブメント１の部分図を示す。ムーブメント１は、好ましくはムーブメント１の調速を行うためのテンプ５及びヒゲゼンマイ７を備えた共振器３を含む。共振器３は、好ましくは、バー２と、バー又は地板等の他の部品４との間に枢動可能に設けられている。これを達成するために、ヒゲゼンマイ７は、特にヒゲゼンマイ７と一体であってもなくてもよいヒゲ玉１０を有する。
【００１２】
図１はまた、ムーブメント１が好ましくは、共振器の運動を分散させるため及び維持するためのものでもあるスイスレバー式アンクル１１及びガンギ車１３を備える脱進機システム９を有することも示す。脱進機システム９は、好ましくは、２つのバー６、８と地板４との間に設けられる。
【００１３】
本発明によると有利には、ヒゲゼンマイ７及び場合によってはそのヒゲ玉１０は、次のいずれかの材料、特にシリコン及びシリコン化合物、石英、ダイヤモンド、ガラス、セラミック、金属又は金属合金から形成してもよい。バー２もまた、いずれかの材料、特に金属又は金属合金から形成してもよい。
【００１４】
更に、本発明によると、ムーブメント１は、好ましくは、ヒゲゼンマイ７、７’、７”がバー２、２’、２”に対して接着するのを防止するためのデバイスを有し、バー２、２’、２”は、ムーブメント１の速度の変動を防止するために、互いに対向するヒゲゼンマイ７、７’、７”の面とバー２、２’、２”の面との間に表面減少手段２３、２３’、２５、２５’を含む。
【００１５】
図４〜６に示すように、本発明によると有利には、表面減少手段２３、２３’、２５、２５’は、ヒゲゼンマイ７、７’、７”及び／又はバー２、２’、２”上に形成している。非限定的な例として、抗接着デバイス１９、１９’、１９”の３つの実施形態は、図４〜６において、本発明による表面減少手段２３、２３’、２５、２５’の４つの代替形態を示す。
【００１６】
図４に示す第１の実施形態によると、時計ムーブメントは抗接着デバイス１９の第１の例を含む。抗接着デバイス１９は、バー２’上に形成された表面減少手段２３を有する。図４の例における表面減少手段２３は、バー２’の面１８に対して少なくとも１つの凹部１６を有する。本発明によると、各凹部１６は１つ又は複数の一連の溝で形成してもよい。図４の例では、単一のヒゲゼンマイ形状の溝がバー２’の面１８上に形成されている。しかしながら、少なくとも２つの一連の溝が形成される場合では、これらは交差してもしなくてもよい。従って、例えば溝は放射状に延在する線又はギザギザの形態を採ってもよい。
【００１７】
図５に示す第２の実施形態によると、時計ムーブメントは抗接着デバイスの第２の例１９’を示す。抗接着デバイス１９’は、バー２”上に形成された第１の表面減少手段２３’及びヒゲゼンマイ７’上に形成された第２の表面減少手段２５を有する例を示す。
【００１８】
図５の例における表面減少手段２３’は、バー２”の面１６’に対して少なくとも１つの隆起部１８’を含む。本発明によると、各隆起部１８’は１つ又は複数の一連のリブによって形成してもよい。図５の例では、単一のヒゲゼンマイ形状のリブがバー２”の面１６’上に形成されている。しかしながら、少なくとも２つの一連のリブが形成される場合では、これらは交差してもしなくてもよい。従って、例えばリブは放射状に延在する線又はギザギザの形態を採ってもよい。
【００１９】
図５の例における表面減少手段２５は、ヒゲゼンマイ７’の面１７に対して少なくとも１つの凹部１５を含む。本発明によると、各凹部１５は１つ又は複数の一連の溝で形成してもよい。図５の例では、多数の平行六面体の溝がヒゲゼンマイ７’の面１７上に形成されている。しかしながら、単一の溝がヒゲゼンマイの面の全体若しくは一部にわたって走るか、又は少なくとも２つの一連の溝が交差していてもよい。例えば、ヒゲゼンマイ７’の面上に窪みを形成するために、単一の溝は、ヒゲゼンマイ７’の厚さ部分のうちの一部のみの特定の深さ／高さのものであってよく、又は一連の溝がギザギザを形成してよい。
【００２０】
図６に示す第３の実施形態によると、時計ムーブメントは第３の抗接着デバイス１９”を有する。抗接着デバイス１９”は、バー２’上に形成された第１の表面減少手段２３及びヒゲゼンマイ７”上に形成された第２の表面減少手段２５’を有する。
【００２１】
図４の例における表面減少手段２３は、バー２’の面１８に対して少なくとも１つの凹部１６を有する。本発明によると、各凹部１６は１つ又は複数の一連の溝で形成してもよい。図４の例では、単一のヒゲゼンマイ形状の溝がバー２’の面１８上に形成されている。しかしながら、少なくとも２つの一連の溝が形成される場合では、これらは交差してもしなくてもよい。従って、例えば溝は放射状に延在する線又はギザギザの形態を採ってもよい。
【００２２】
図６の例における表面減少手段２５’は、ヒゲゼンマイ７”の面１５’に対して少なくとも１つの隆起部１７’を有する。本発明によると、各隆起部１７’は１つ又は複数の一連のリブで形成してもよい。図６の例では、多数の平行六面体のリブがヒゲゼンマイ７”の面上に形成されている。しかしながら、単一のリブがヒゲゼンマイ７”の面の全体若しくは一部にわたって走るか、又は少なくとも２つの一連のリブが交差しているとよい。例えば、ヒゲゼンマイ７”の面上に二重の肩部を形成するために、単一のリブは、ヒゲゼンマイ７”の厚さの一部のみにわたる高さに対応する特定の高さのものであってもよく、又は一連のリブはギザギザでを形成してもよい。
【００２３】
当然、本発明は図示した例に限定されるものではなく、当業者には明らかな様々な変形例及び変更例が考案可能である。特に、抗接着デバイスが他の特定の幾何学的形状をとってもよいことは明らかである。更に、本実施形態及び／又は代替形態は、使用するムーブメントの構成に応じて互いに組み合わせてもよい。特に、バー又はヒゲゼンマイ又はこれら両方が、接触する可能性のある表面を減らすために修正されることは明らかである。
【符号の説明】
【００２４】
１  時計ムーブメント
２、２’、２”  バー
３  共振器
４  他の部品、地板
５  テンプ
６  バー
７、７’、７”  ヒゲゼンマイ
８  バー
９  脱進機システム
１０  ひげ玉
１１  スイスレバー式アンクル
１３  ガンギ車
１５、１６  凹部
１７’、１８’  隆起部
１５’、１７  ヒゲゼンマイの面
１６’、１８  バーの面
１９、１９’、１９”  抗接着デバイス
２３、２３’、２５、２５’  表面減少手段
【図１】
2014228542.tif 000003
【図２】
2014228542.tif 000004
【図３】
2014228542.tif 000005
【図４】
2014228542.tif 000006
【図５】
2014228542.tif 000007
【図６】
2014228542.tif 000008